(57)【要約】【課題】投影装置本体を動かすことなく、投射位置又は投射方向を変更することができるプロジェクタを提供する。【解決手段】本体部１２と、レンズ１６を支持するレンズ部１４と、を備え、レンズ部１４は、第１ブロック体１８と第２ブロック体２０と、からなり、第２ブロック体２０は本体部１２と接続されており、本体部１２との接続方向を回転軸として、回転軸回りに回動可能であり、第１ブロック体１８は、一方にレンズ１６が装着され、他方に第２ブロック体２０が接続されており、第２ブロック体２０との接続方向を回転軸として、回転軸回りに回動可能であるプロジェクタ１０である。第１ブロック体１８の回転軸は、第２ブロック体２０の回転軸に対して、垂直であることが好ましい。【選択図】図１
2020034652.tif 000002
【特許請求の範囲】
【請求項１】
本体部と、レンズを支持するレンズ部と、を備え、
前記レンズ部は、第１ブロック体と第２ブロック体と、からなり、
前記第２ブロック体は前記本体部と接続されており、前記本体部との接続方向を回転軸として、回転軸回りに回動可能であり、
前記第１ブロック体は、一方に前記レンズが装着され、他方に前記第２ブロック体が接続されており、前記第２ブロック体との接続方向を回転軸として、回転軸回りに回動可能であるプロジェクタ。
【請求項２】
前記第１ブロック体の回転軸は、前記第２ブロック体の回転軸に対して、垂直である請求項１に記載のプロジェクタ。
【請求項３】
前記第１ブロック体及び前記第２ブロック体は、それぞれ９０度単位で回動可能である請求項１又は２に記載のプロジェクタ。
【発明の詳細な説明】
【技術分野】
【０００１】
本発明は、プロジェクタに係り、特に、本体部を移動させることなく、投影位置又は投影方向を変更することができるプロジェクタに関する。
【背景技術】
【０００２】
ＬＣＤ（ｌｉｑｕｉｄ  ｃｒｙｓｔａｌ  ｄｉｓｐｌａｙ：液晶ディスプレイ）やＤＭＤ（Ｄｉｇｉｔａｌ  Ｍｉｒｒｏｒ  Ｄｅｖｉｃｅ：デジタルミラーデバイス）などの光変調装置によって画像が付与された光をスクリーンに向けて投射し、スクリーン上に画像を表示するプロジェクタが知られている。プロジェクタは、光源装置から出射された光（照明光）が、光変調装置（画像形成装置）によって画像信号（画像情報）に応じた画像が付与されて、画像光として投射レンズから出射され、画像がスクリーン上に投射される。
【０００３】
プロジェクタは、設置環境の変化や視聴者の移動などの要因により、投射位置や投射方向の変更が必要な場合がある。例えば、下記の特許文献１には、視聴者の位置に応じて投影位置を決定し、その投影位置に応じてプロジェクタの位置、又は、投射方向を変更することが記載されている。
【先行技術文献】
【特許文献】
【０００４】
【特許文献１】特開２００７−７９２１０号公報
【発明の概要】
【発明が解決しようとする課題】
【０００５】
特許文献１に記載されている投影装置においても、投射位置又は投射方向を変更するために、投射装置本体を移動させる必要があり、作業の煩わしさは改善されていなかった。
【０００６】
本発明はこのような事情に鑑みてなされたものであり、投影装置本体を動かすことなく、投射位置又は投射方向を変更することができるプロジェクタを提供する。
【課題を解決するための手段】
【０００７】
本発明の目的を達成するために、本発明に係るプロジェクタは、本体部と、レンズを支持するレンズ部と、を備え、レンズ部は、第１ブロック体と第２ブロック体と、からなり、第２ブロック体は本体部と接続されており、本体部との接続方向を回転軸として、回転軸回りに回動可能であり、第１ブロック体は、一方にレンズが装着され、他方に第２ブロック体が接続されており、第２ブロック体との接続方向を回転軸として、回転軸回りに回動可能である。
【０００８】
本発明によれば、第１ブロック体及び第２ブロック体が、それぞれ回動可能に構成されているため、第１ブロック体と第２ブロック体の回転を組み合わせることで、レンズを様々な方向に向かせることができる。したがって、プロジェクタの本体部を動かすことなく、投影方向を変更することができる。
【０００９】
本発明の一態様は、第１ブロック体の回転軸は、第２ブロック体の回転軸に対して、垂直であることが好ましい。
【００１０】
この態様によれば、第１ブロック体の回転軸を第２ブロック体の回転軸に対して垂直とすることで、設置した本体部に対して、上下左右方向に確実に投影することができる。
【００１１】
本発明の一態様は、第１ブロック体及び第２ブロック体は、それぞれ９０度単位で回動可能であることが好ましい。
【００１２】
この態様によれば、第１ブロック体及び第２ブロック体を、それぞれ９０度単位で回動可能とすることで、設置した本体部に対して、上下左右方向で固定して確実に投影することができる。
【発明の効果】
【００１３】
本発明のプロジェクタによれば、本体部に設けられたレンズ部が、第１ブロック体と第２ブロック体とからなり、第１ブロック体は、第２ブロック体と異なる方向に回転させることができる。したがって、本体部を動かすことなく、投射位置又は投射方向を変更させることができる。
【図面の簡単な説明】
【００１４】
【図１】第１実施形態のプロジェクタの斜視図である。
【図２】第１実施形態のプロジェクタの正面図である。
【図３】第１実施形態のプロジェクタの背面図である。
【図４】第１実施形態のプロジェクタの平面図である。
【図５】第１実施形態のプロジェクタの底面図である。
【図６】第１実施形態のプロジェクタの右側面図である。
【図７】第１実施形態のプロジェクタの左側面図である。
【図８】第１実施形態のプロジェクタにおいて、レンズを第１の方向に向けた状態の斜視図である。
【図９】第１実施形態のプロジェクタにおいて、レンズを第２の方向に向けた状態の斜視図である。
【図１０】第１実施形態のプロジェクタにおいて、レンズを第３の方向に向けた状態の斜視図である。
【図１１】第１実施形態のプロジェクタにおいて、レンズを第４の方向に向けた状態の斜視図である。
【図１２】第１実施形態のプロジェクタにおいて、レンズを第５の方向に向けた状態の斜視図である。
【図１３】第１実施形態のプロジェクタにおいて、レンズを第６の方向に向けた状態の斜視図である。
【図１４】第１実施形態のプロジェクタにおいて、レンズを第７の方向に向けた状態の斜視図である。
【図１５】第１実施形態のプロジェクタにおいて、レンズを第８の方向に向けた状態の斜視図である。
【図１６】第１実施形態のプロジェクタにおいて、レンズを第９の方向に向けた状態の斜視図である。
【図１７】第１実施形態のプロジェクタにおいて、レンズを第１０の方向に向けた状態の斜視図である。
【図１８】第１実施形態のプロジェクタにおいて、レンズを第１１の方向に向けた状態の斜視図である。
【図１９】第２実施形態のプロジェクタの斜視図である。
【図２０】第３実施形態のプロジェクタの斜視図である。
【図２１】第４実施形態のプロジェクタの斜視図である。
【図２２】第４実施形態のプロジェクタの正面図である。
【図２３】第４実施形態のプロジェクタの背面図である。
【図２４】第４実施形態のプロジェクタの平面図である。
【図２５】第４実施形態のプロジェクタの底面図である。
【図２６】第４実施形態のプロジェクタの右側面図である。
【図２７】第４実施形態のプロジェクタの左側面図である。
【図２８】第５実施形態のプロジェクタの斜視図である。
【図２９】第６実施形態のプロジェクタの斜視図である。
【図３０】第７実施形態のプロジェクタの斜視図である。
【図３１】第７実施形態のプロジェクタの正面図である。
【図３２】第７実施形態のプロジェクタの背面図である。
【図３３】第７実施形態のプロジェクタの平面図である。
【図３４】第７実施形態のプロジェクタの底面図である。
【図３５】第７実施形態のプロジェクタの右側面図である。
【図３６】第７実施形態のプロジェクタの左側面図である。
【図３７】第８実施形態のプロジェクタの斜視図である。
【図３８】第９実施形態のプロジェクタの斜視図である。
【図３９】第１０実施形態のプロジェクタの斜視図である。
【図４０】第１０実施形態のプロジェクタの正面図である。
【図４１】第１０実施形態のプロジェクタの背面図である。
【図４２】第１０実施形態のプロジェクタの平面図である。
【図４３】第１０実施形態のプロジェクタの底面図である。
【図４４】第１０実施形態のプロジェクタの右側面図である。
【図４５】第１０実施形態のプロジェクタの左側面図である。
【図４６】第１１実施形態のプロジェクタの斜視図である。
【図４７】第１２実施形態のプロジェクタの斜視図である。
【図４８】第１３実施形態のプロジェクタの斜視図である。
【図４９】第１３実施形態のプロジェクタの正面図である。
【図５０】第１３実施形態のプロジェクタの背面図である。
【図５１】第１３実施形態のプロジェクタの平面図である。
【図５２】第１３実施形態のプロジェクタの底面図である。
【図５３】第１３実施形態のプロジェクタの右側面図である。
【図５４】第１３実施形態のプロジェクタの左側面図である。
【図５５】第１４実施形態のプロジェクタの斜視図である。
【図５６】第１５実施形態のプロジェクタの斜視図である。
【図５７】第１６実施形態のプロジェクタの斜視図である。
【図５８】第１６実施形態のプロジェクタの正面図である。
【図５９】第１６実施形態のプロジェクタの背面図である。
【図６０】第１６実施形態のプロジェクタの平面図である。
【図６１】第１６実施形態のプロジェクタの底面図である。
【図６２】第１６実施形態のプロジェクタの右側面図である。
【図６３】第１６実施形態のプロジェクタの左側面図である。
【図６４】第１７実施形態のプロジェクタの斜視図である。
【図６５】第１８実施形態のプロジェクタの斜視図である。
【図６６】第１９実施形態のプロジェクタの斜視図である。
【図６７】第１９実施形態のプロジェクタの正面図である。
【図６８】第１９実施形態のプロジェクタの背面図である。
【図６９】第１９実施形態のプロジェクタの平面図である。
【図７０】第１９実施形態のプロジェクタの底面図である。
【図７１】第１９実施形態のプロジェクタの右側面図である。
【図７２】第１９実施形態のプロジェクタの左側面図である。
【図７３】第２０実施形態のプロジェクタの斜視図である。
【図７４】第２１実施形態のプロジェクタの斜視図である。
【図７５】第２２実施形態のプロジェクタの斜視図である。
【図７６】第２２実施形態のプロジェクタの正面図である。
【図７７】第２２実施形態のプロジェクタの背面図である。
【図７８】第２２実施形態のプロジェクタの平面図である。
【図７９】第２２実施形態のプロジェクタの底面図である。
【図８０】第２２実施形態のプロジェクタの右側面図である。
【図８１】第２２実施形態のプロジェクタの左側面図である。
【図８２】第２３実施形態のプロジェクタの斜視図である。
【図８３】第２４実施形態のプロジェクタの斜視図である。
【図８４】第２５実施形態のプロジェクタの斜視図である。
【図８５】第２５実施形態のプロジェクタの正面図である。
【図８６】第２５実施形態のプロジェクタの背面図である。
【図８７】第２５実施形態のプロジェクタの平面図である。
【図８８】第２５実施形態のプロジェクタの底面図である。
【図８９】第２５実施形態のプロジェクタの右側面図である。
【図９０】第２５実施形態のプロジェクタの左側面図である。
【図９１】第２６実施形態のプロジェクタの斜視図である。
【図９２】第２７実施形態のプロジェクタの斜視図である。
【発明を実施するための形態】
【００１５】
以下、添付図面にしたがって、本発明に係るプロジェクタについて説明する。
【００１６】
＜第１実施形態＞
図１は第１実施形態のプロジェクタの斜視図であり、図２はプロジェクタの正面図、図３はプロジェクタの背面図、図４はプロジェクタの平面図、図５はプロジェクタの底面図、図６はプロジェクタの右側面図、図７はプロジェクタの左側面図である。
【００１７】
図１から７に示すように、本実施形態のプロジェクタ１０は、本体部１２とレンズ部１４とからなる。レンズ部１４は、レンズ１６を支持している２つのブロック体である第１ブロック体１８と、第２ブロック体２０から構成される。第１ブロック体１８の先端側には、レンズ１６が装着されている。
【００１８】
プロジェクタ１０は、Ｌ字状の本体部１２に、レンズ１６が装着された第１ブロック体１８及び第２ブロック体２０から構成されるレンズ部１４と、を備え、略直方体の形状をしている。プロジェクタ内部には、光源装置、画像形成パネル、及び、制御装置が収納される。本体部１２には、不図示のズームダイヤル、光量調節ダイヤル、フォーカスダイヤル、上下ピン調ダイヤル、左右ピン調ダイヤル、及び画面修正ダイヤルが設けられている。光源装置から出射された光は、画像形成面で画像が付与され、レンズから照射し、不図示のスクリーンに投射される。
【００１９】
制御装置は、画像形成面にＲＧＢ３色の画像を順次表示させ、３色の画像に合わせてＬＥＤからそれぞれの光を同調させて出射させる。また、ズームダイヤルの操作信号を受けてスクリーンに投射される画像の大きさを調節したり、光量調節ダイヤルの操作信号を受けてスクリーンに投射される画像の明るさを調節したりする。さらにフォーカスダイヤルの操作に伴ってレンズのピント調節機構（不図示）を作動させ、スクリーンに投射された画像の中央部のピント調整を行う。
【００２０】
画像形成パネルとしては、透過型液晶パネル、デジタルマイクロミラーデバイスを用いることができる。また、光源装置は、ＲＧＢの３色を順次発行するＬＥＤ光源装置に限らず、白色光を発光するキセノンランプやハロゲンランプを用いた光源装置でもよく、この場合、画像形成パネルとして、透過型カラー液晶パネルを用いることができる。
【００２１】
次に、プロジェクタ１０の外観について説明する。第１実施形態に示すプロジェクタ１０は、本体部１２がＬ字状に形成されている。レンズ部１４を構成する第１ブロック体１８及び第２ブロック体２０は、第２ブロック体２０が本体ブロック体部２２を介して本体部１２に接続されている。
【００２２】
第１ブロック体１８は、図１及び図２に示すように、第２ブロック体２０に対して、水平軸方向にブロック体接続部２４により接続されている。そして、第１ブロック体１８は、第２ブロック体２０に対して、ブロック体接続部２４を中心として回動可能に構成されている。すなわち、第１ブロック体１８は、正面水平軸方向回りに回動可能に構成されている。第１ブロック体１８の回動は、第１ブロック体１８のみでもよく、第１ブロック体１８とブロック体接続部２４が一緒に回動してもよい。また、第２ブロック体２０と本体ブロック体部２２とは、本体接続部２６により接続されている。第２ブロック体２０と本体ブロック体部２２とは、第１ブロック体１８と第２ブロック体２０との接続方向に対して、垂直方向に接続されている。そして、第２ブロック体２０は、本体接続部２６を中心として回動可能に構成される。すなわち、第２ブロック体２０は、本体部１２に対して、正面上下方向に沿った回転軸回りに回動可能に構成されている。
【００２３】
第１ブロック体１８は、正面水平軸方向回りに３６０度回動可能である。また、第２ブロック体２０は、正面上下方向に沿った回転軸回りに１８０回動可能である。第１ブロック体１８及び第２ブロック体２０は９０度単位で回転させる構成とすることが好ましいが、特に限定されず、９０度より小さい角度で回動可能な構成としてもよい。また、第１ブロック体１８及び第２ブロック体２０の回転は、制御部により自動で行う構成としてもよいし、手動で回転させる構成としてもよい。
【００２４】
第１ブロック体１８及び第２ブロック体２０の回転を組み合わせることによりレンズ１６を様々な方向に向けさせることができる。図８から図１８は、レンズ１６を異なる方向に向けた状態を示す斜視図である。
【００２５】
図８は、レンズ１６を第１の方向に向けた状態の斜視図である。図８においては、第１ブロック体１８のみを、レンズ１６が本体部１２と対面している状態（以下、「収納状態」ともいう）から、９０度回転させることで、レンズ１６を第１の方向に向けている。図９は、レンズ１６を第２の方向に向けた状態の斜視図である。図９においては、第１ブロック体１８のみを、収納状態から、１８０度回転させることにより第２の方向に向けることができる。図１０は、レンズ１６を第３の方向に向けた状態の斜視図である。図１０においては、第１ブロック体１８のみを、収納状態から、第１の方向に向けた場合と反対の回転方向に９０度回転させることで、第３の方向に向けることができる。
【００２６】
図１１は、レンズ１６を第４の方向に向けた状態の斜視図である。図１１においては、第２ブロック体２０を、図１１において、プロジェクタ１０の上面から見て、反時計回りに９０度、収納状態から回転させ、第１ブロック体１８を、９０度回転させることにより、第４の方向に向けることができる。図１２はレンズ１６を第５の方向に向けた状態の斜視図であり、図１３はレンズ１６を第６の方向に向けた状態の斜視図であり、図１４はレンズ１６を第７の方向に向けた状態の斜視図である。レンズ１６を第５から第７の方向に向ける場合は、図１１に示す第４の方向に向けた状態から、第１ブロック体１８を９０度ずつ回転させることで、それぞれの方向に向かせることができる。
【００２７】
図１５は、レンズ１６を第８の方向に向けた状態の斜視図である。図１５においては、第２ブロック体２０を、図１５において、プロジェクタ１０の上面から見て、時計回りに９０度、収納状態から回転させ、第１ブロック体１８を、９０度回転させることにより第８の方向に向けることができる。図１６はレンズ１６を第９の方向に向けた状態の斜視図であり、図１７はレンズ１６を第１０の方向に向けた状態の斜視図であり、図１８はレンズ１６を第１１の方向に向けた状態の斜視図である。レンズ１６を第９から第１１の方向に向ける場合は、図１５に示す第８の方向に向けた状態から、第１ブロック体１８を９０度ずつ回転させることで向かせることができる。
【００２８】
＜第２実施形態＞
図１９は第２実施形態のプロジェクタの斜視図である。第２実施形態のプロジェクタ３０は、本体部３２の形状が異なり、かつ、レンズ部３４の第１ブロック体３８と第２ブロック体４０が正面上下方向に接続している点が第１実施形態のプロジェクタ１０と異なっている。第２実施形態のプロジェクタ３０は、プロジェクタ３０全体が矩形状に形成されており、本体部３２はＬ字状に形成されている。レンズ部３４は、本体部３２のＬ字状に切り欠かれた切欠部に、プロジェクタ３０の短い辺に沿って、第１ブロック体３８と第２ブロック体４０がブロック体接続部（不図示）により接続されている。そして、第１ブロック体３８は、第２ブロック体４０に対して、ブロック体接続部を中心として回動可動に構成されている。第２実施形態のプロジェクタ３０は、第１ブロック体３８は第２ブロック体４０に対して、正面上下方向に接続されている。したがって、第１ブロック体３８は、第２ブロック体４０に対して、正面上下方向に沿った回転軸回りに回動可能に構成されている。
【００２９】
また、第２ブロック体４０は、本体ブロック体部４２と、本体接続部（不図示）により接続されている。第２ブロック体４０と本体ブロック体部４２とは、第１ブロック体３８と第２ブロック体４０との接続方向に対して垂直方向に接続されている。そして、第２ブロック体４０は、本体接続部を中心として回動可能に構成される。すなわち、第２ブロック体４０は、本体部３２に対して、正面水平軸方向回りに回動可能に構成されている。第２実施形態においても、第１ブロック体３８、及び、第２ブロック体４０の回転を組み合わせることにより、第１実施形態と同様に、様々な方向にレンズ（投射方向）を向けさせることができる。
【００３０】
＜第３実施形態＞
図２０は第３実施形態のプロジェクタの斜視図である。第３実施形態のプロジェクタ５０は、本体部５２の形状が異なり、かつ、レンズ部５４の第１ブロック体５８と第２ブロック体６０が正面上下方向に接続している点が第１実施形態のプロジェクタ１０と異なっている。第３実施形態のプロジェクタ５０は、本体部５２が矩形形状であり、矩形形状の一辺（図２０においては、本体部５２の短辺）にレンズ部５４が設けられている。第３実施形態のプロジェクタ５０は、第１ブロック体５８は第２ブロック体６０に対して、ブロック体接続部（不図示）により、正面上下方向に接続されている。そして、第１ブロック体５８は、第２ブロック体６０に対して、ブロック体接続部を中心に、すなわち、正面上下方向に沿った回転軸回りに回動可能に構成されている。また、第２ブロック体６０は、本体ブロック体部６２と、本体接続部（不図示）により接続されている。第２ブロック体６０と本体ブロック体部６２とは、第１ブロック体５８と第２ブロック体６０との接続方向に対して垂直方向に接続されている。そして、第２ブロック体６０は、本体接続部を中心として回動可能に構成される。すなわち、第２ブロック体６０は、本体部５２に対して正面水平軸方向回りに回動可能に構成されている。第３実施形態においても、第１ブロック体５８、及び、第２ブロック体６０の回転を組み合わせることにより、第１実施形態と同様に、様々な方向にレンズ（投射方向）を向けさせることができる。
【００３１】
＜第４実施形態＞
図２１は第４実施形態のプロジェクタの斜視図であり、図２２はプロジェクタの正面図、図２３はプロジェクタの背面図、図２４はプロジェクタの平面図、図２５はプロジェクタの底面図、図２６はプロジェクタの右側面図、図２７はプロジェクタの左側面図である。
【００３２】
第４実施形態のプロジェクタ７０は、本体部７２の構成が第１実施形態の本体部１２と構成が略同じであり、レンズ部７４の構成が第１実施形態と異なっている。第４実施形態のレンズ部７４は、第１ブロック体７８は第１実施形態と同様の形状であるが、第２ブロック体８０の形状が、直方体と半円形状の柱状体との組み合わせで構成される。
【００３３】
第１ブロック体７８は、第２ブロック体８０に対して水平軸方向にブロック体接続部８４により接続されている。そして、第１ブロック体７８は、第２ブロック体８０に対して、ブロック体接続部８４を中心として回動可能に構成されている。すなわち、第１ブロック体７８は、正面水平軸方向回りに回動可能に構成されている。第１ブロック体７８の回動は、第１ブロック体７８のみでもよく、第１ブロック体７８とブロック体接続部８４が一緒に回動してもよい。また、第２ブロック体８０と本体ブロック体部８２とは、本体接続部８６により接続されている。第２ブロック体８０と本体ブロック体部８２とは、第１ブロック体７８と第２ブロック体８０との接続方向に対して、垂直方向に接続されている。そして、第２ブロック体８０は、本体接続部８６を中心として回動可能に構成される。すなわち、第２ブロック体８０は、本体部７２に対して正面上下方向に沿った回転軸回りに回動可能に構成されている。
【００３４】
第４実施形態のプロジェクタ７０においても、第１ブロック体７８と第２ブロック体８０を、第１実施形態のプロジェクタと同様に回転させることができる。第１ブロック体７８及び第２ブロック体８０の回転を組み合わせることで、レンズ７６を様々な方向に向けさせることができる。
【００３５】
＜第５実施形態＞
図２８は第５実施形態のプロジェクタの斜視図である。第５実施形態のプロジェクタ１１０は、本体部１１２の形状が異なり、かつ、レンズ部１１４の第１ブロック体１１８と第２ブロック体１２０が正面上下方向に接続している点が第４実施形態のプロジェクタ７０と異なっている。第５実施形態のプロジェクタ１１０は、プロジェクタ１１０全体が矩形状に形成されており、本体部１１２はＬ字状に形成されている。レンズ部１１４は、本体部１１２のＬ字状に切り欠かれた切欠部に、プロジェクタ１１０の短い辺に沿って設けられている。第５実施形態のプロジェクタ１１０は、第４実施形態のプロジェクタのレンズ部の形状と、第２実施形態のプロジェクタの本体部の形状を組み合わせたプロジェクタである。
【００３６】
第５実施形態のプロジェクタ１１０のレンズ部１１４は、第１ブロック体１１８と第２ブロック体１２０がブロック体接続部（不図示）により接続され、第１ブロック体１１８は、第２ブロック体１２０に対して、正面上下方向に接続されている。そして、第１ブロック体１１８は、第２ブロック体１２０に対して、ブロック体接続部を中心として回動可動に構成されている。したがって、第１ブロック体１１８は、第２ブロック体１２０に対して、正面上下方向に沿った回転軸回りに回動可能に構成されている。
【００３７】
また、第２ブロック体１２０は、本体ブロック体部１２２と、本体接続部（不図示）により接続されている。第２ブロック体１２０と本体ブロック体部１２２とは、第１ブロック体１１８と第２ブロック体１２０との接続方向に対して垂直方向に接続されている。そして、第２ブロック体１２０は、本体接続部を中心として回動可能に構成される。すなわち、第２ブロック体１２０は、本体部１１２に対して、正面水平軸方向回りに回動可能に構成されている。第５実施形態においても、第１ブロック体１１８、及び、第２ブロック体１２０の回転を組み合わせることにより、第２実施形態と同様に、様々な方向にレンズ（投射方向）を向けさせることができる。
【００３８】
＜第６実施形態＞
図２９は第６実施形態のプロジェクタの斜視図である。第６実施形態のプロジェクタ１３０は、本体部１３２の形状が異なり、かつ、レンズ部１３４の第１ブロック体１３８と第２ブロック体１４０が正面上下方向に接続している点が第４実施形態のプロジェクタ７０と異なっている。第６実施形態のプロジェクタ１３０は、本体部１３２が矩形形状であり、矩形形状の一辺（図２９においては、本体部１３２の短辺）にレンズ部１３４が設けられている。第６実施形態のプロジェクタ１３０は、第４実施形態のプロジェクタのレンズ部の形状と、第３実施形態のプロジェクタの本体部の形状を組み合わせたプロジェクタである。
【００３９】
第６実施形態のプロジェクタ１３０は、第１ブロック体１３８が、第２ブロック体１４０に対して、ブロック体接続部（不図示）により、正面上下方向に接続されている。そして、第１ブロック体１３８は、第２ブロック体１４０に対して、ブロック体接続部を中心に、すなわち、正面上下方向に沿った回転軸回りに回動可能に構成されている。また、第２ブロック体１４０は、本体ブロック体部１４２と、本体接続部（不図示）により接続されている。第２ブロック体１４０と本体ブロック体部１４２とは、第１ブロック体１１８と第２ブロック体１４０との接続方向に対して垂直方向に接続されている。そして、第２ブロック体１４０は、本体接続部を中心として回動可能に構成される。すなわち、第２ブロック体１４０は、本体部１１２に対して正面水平軸方向回りに回動可能に構成されている。第６実施形態においても、第１ブロック体１１８、及び、第２ブロック体１４０の回転を組み合わせることにより、第３実施形態と同様に、様々な方向にレンズ（投射方向）を向けさせることができる。
【００４０】
＜第７実施形態＞
図３０は第７実施形態のプロジェクタの斜視図であり、図３１はプロジェクタの正面図、図３２はプロジェクタの背面図、図３３はプロジェクタの平面図、図３４はプロジェクタの底面図、図３５はプロジェクタの右側面図、図３６はプロジェクタの左側面図である。
【００４１】
第７実施形態のプロジェクタ１５０は、本体部１５２の構成が第１実施形態の本体部１２と構成が同じであり、レンズ部１５４の構成が第１実施形態と異なっている。第７実施形態のレンズ部１５４は、第１ブロック体１５８、及び、第２ブロック体１６０から構成されており、それぞれ、略直方体の形状で構成される。レンズ（不図示）は、第１ブロック体１５８の本体部１５２側に装着されている。
【００４２】
第１ブロック体１５８は、第２ブロック体１６０に対して水平軸方向にブロック体接続部１６４により接続されている。そして、第１ブロック体１５８は、第２ブロック体１６０に対して、ブロック体接続部１６４を中心として回動可能に構成されている。すなわち、第１ブロック体１５８は、正面水平軸方向回りに回動可能に構成されている。第１ブロック体１５８の回動は、第１ブロック体１５８のみでもよく、第１ブロック体１５８とブロック体接続部１６４が一緒に回動してもよい。また、第２ブロック体１６０と本体部１５２とは、第１ブロック体１５８と第２ブロック体１６０との接続方向に対して、垂直方向に接続されている。そして、第２ブロック体１６０は、本体部１５２に対して正面上下方向に沿った回転軸回りに回動可能に構成されている。
【００４３】
第７実施形態のプロジェクタ１５０においても、第１ブロック体１５８と第２ブロック体１６０を、第１実施形態のプロジェクタと同様に回転させることができる。第１ブロック体１５８及び第２ブロック体１６０の回転を組み合わせることで、レンズを様々な方向に向けさせることができる。
【００４４】
＜第８実施形態＞
図３７は第８実施形態のプロジェクタの斜視図である。第８実施形態のプロジェクタ１７０は、本体部１７２の形状が異なり、かつ、レンズ部１７４の第１ブロック体１７８と第２ブロック体１８０が正面上下方向に接続している点が第７実施形態のプロジェクタ１５０と異なっている。第７実施形態のプロジェクタ１５０は、プロジェクタ１７０全体が矩形状に形成されており、本体部１７２はＬ字状に形成されている。レンズ部１７４は、本体部１７２のＬ字状に切り欠かれた切欠部に、プロジェクタ１７０の短辺に沿って設けられている。第８実施形態のプロジェクタ１７０は、第７実施形態のプロジェクタのレンズ部の形状と、第２実施形態のプロジェクタの本体部の形状を組み合わせたプロジェクタである。
【００４５】
第８実施形態のプロジェクタ１７０のレンズ部１７４は、第１ブロック体１７８と第２ブロック体１８０がブロック体接続部（不図示）により接続され、第１ブロック体１７８は、第２ブロック体１８０に対して、正面上下方向に接続されている。そして、第１ブロック体１７８は、第２ブロック体１８０に対して、ブロック体接続部を中心として回動可動に構成されている。したがって、第１ブロック体１７８は、第２ブロック体１８０に対して、正面上下方向に沿った回転軸回りに回動可能に構成されている。
【００４６】
また、第２ブロック体１８０と本体部１７２とは、第１ブロック体１７８と第２ブロック体１８０との接続方向に対して、垂直方向に接続されている。そして、第２ブロック体１８０は、本体部１７２に対して正面水平軸方向回りに回動可能に構成されている。第７実施形態においても、第１ブロック体１７８、及び、第２ブロック体１８０の回転を組み合わせることにより、第２実施形態と同様に、様々な方向にレンズ（投射方向）を向けさせることができる。
【００４７】
＜第９実施形態＞
図３８は第９実施形態のプロジェクタの斜視図である。第９実施形態のプロジェクタ２１０は、本体部２１２の形状が異なり、かつ、レンズ部２１４の第１ブロック体２１８と第２ブロック体２２０が正面上下方向に接続している点が第７実施形態のプロジェクタ１５０と異なっている。第９実施形態のプロジェクタ２１０は、本体部２１２が矩形形状であり、矩形形状の一辺（図３８においては、本体部２１２の短辺）にレンズ部２１４が設けられている。第９実施形態のプロジェクタ２１０は、第７実施形態のプロジェクタのレンズ部の形状と、第３実施形態のプロジェクタの本体部の形状を組み合わせたプロジェクタである。
【００４８】
第９実施形態のプロジェクタ２１０は、第１ブロック体２１８が、第２ブロック体２２０に対して、ブロック体接続部（不図示）により、正面上下方向に接続されている。そして、第１ブロック体２１８は、第２ブロック体２２０に対して、ブロック体接続部を中心に、すなわち、正面上下方向に沿った回転軸回りに回動可能に構成されている。
【００４９】
また、第２ブロック体２２０と本体部２１２とは、第１ブロック体２１８と第２ブロック体２２０との接続方向に対して、垂直方向に接続されている。そして、第２ブロック体２２０は、本体部２１２に対して正面水平軸方向回りに回動可能に構成されている。第９実施形態においても、第１ブロック体２１８、及び、第２ブロック体２２０の回転を組み合わせることにより、第３実施形態と同様に、様々な方向にレンズ（投射方向）を向けさせることができる。
【００５０】
＜第１０実施形態＞
図３９は、第１０実施形態のプロジェクタの斜視図であり、図４０はプロジェクタの正面図、図４１はプロジェクタの背面図、図４２はプロジェクタの平面図、図４３はプロジェクタの底面図、図４４はプロジェクタの右側面図、図４５はプロジェクタの左側面図である。
【００５１】
第１０実施形態のプロジェクタ２３０は、本体部２３２の構成が第１実施形態の本体部１２と構成が同じであり、レンズ部２３４の構成が第１実施形態と異なっている。第１０実施形態のレンズ部２３４は、第１ブロック体２３８は第１実施形態と同様の形状であるが、第２ブロック体２４０が、直方体で構成される。
【００５２】
第１ブロック体２３８は、第２ブロック体２４０に対して水平軸方向にブロック体接続部２４４により接続されている。そして、第１ブロック体２３８は、第２ブロック体２４０に対して、ブロック体接続部２４４を中心として回動可能に構成されている。すなわち、第１ブロック体２３８は、正面水平軸方向回りに回動可能に構成されている。第１ブロック体２３８の回動は、第１ブロック体２３８のみでもよく、第１ブロック体２３８とブロック体接続部２４４が一緒に回動してもよい。また、第２ブロック体２４０と本体ブロック体部２４２とは、本体接続部２４６により接続されている。第２ブロック体２４０と本体ブロック体部２４２とは、第１ブロック体２３８と第２ブロック体２４０との接続方向に対して、垂直方向に接続されている。そして、第２ブロック体２４０は、本体接続部２４６を中心として回動可能に構成される。すなわち、第２ブロック体２４０は、本体部２３２に対して正面上下方向に沿った回転軸回りに回動可能に構成されている。
【００５３】
第１０実施形態のプロジェクタ２３０においても、第１ブロック体２３８と第２ブロック体２４０を、第１実施形態のプロジェクタと同様に回転させることができる。第１ブロック体２３８及び第２ブロック体２４０の回転を組み合わせることで、レンズ２３６を様々な方向に向けさせることができる。
【００５４】
＜第１１実施形態＞
図４６は第１１実施形態のプロジェクタの斜視図である。第１１実施形態のプロジェクタ２５０は、本体部２５２の形状が異なり、かつ、レンズ部２５４の第１ブロック体２５８と第２ブロック体２６０が正面上下方向に接続している点が第１０実施形態のプロジェクタ２３０と異なっている。第１１実施形態のプロジェクタ２５０は、プロジェクタ２５０全体が矩形状に形成されており、本体部２５２はＬ字状に形成されている。レンズ部２５４は、本体部２５２のＬ字状に切り欠かれた切欠部に、プロジェクタ２５０の短辺に沿って設けられている。第１１実施形態のプロジェクタ２５０は、第１０実施形態のプロジェクタのレンズ部の形状と、第２実施形態のプロジェクタの本体部の形状を組み合わせたプロジェクタである。
【００５５】
第１１実施形態のプロジェクタ２５０のレンズ部２５４は、第１ブロック体２５８と第２ブロック体２６０がブロック体接続部（不図示）により接続され、第１ブロック体２５８は、第２ブロック体２６０に対して、正面上下方向に接続されている。そして、第１ブロック体２５８は、第２ブロック体２６０に対して、ブロック体接続部を中心として回動可動に構成されている。したがって、第１ブロック体２５８は、第２ブロック体２６０に対して、正面上下方向に沿った回転軸回りに回動可能に構成されている。
【００５６】
また、第２ブロック体２６０は、本体ブロック体部２６２と、本体接続部（不図示）により接続されている。第２ブロック体２６０と本体ブロック体部２６２とは、第１ブロック体２５８と第２ブロック体２６０との接続方向に対して垂直方向に接続されている。そして、第２ブロック体２６０は、本体接続部を中心として回動可能に構成される。すなわち、第２ブロック体２６０は、本体部２５２に対して、正面水平軸方向回りに回動可能に構成されている。第１１実施形態においても、第１ブロック体２５８、及び、第２ブロック体２６０の回転を組み合わせることにより、第２実施形態と同様に、様々な方向にレンズ（投射方向）を向けさせることができる。
【００５７】
＜第１２実施形態＞
図４７は第１２実施形態のプロジェクタの斜視図である。第１２実施形態のプロジェクタ２７０は、本体部２７２の形状が異なり、かつ、レンズ部２７４の第１ブロック体２７８と第２ブロック体２８０が正面上下方向に接続している点が第１０実施形態のプロジェクタ２３０と異なっている。第１２実施形態のプロジェクタ２７０は、本体部２７２が矩形形状であり、矩形形状の一辺（図４７においては、本体部２７２の短辺）にレンズ部２７４が設けられている。第１２実施形態のプロジェクタ２７０は、第１０実施形態のプロジェクタのレンズ部の形状と、第３実施形態のプロジェクタの本体部の形状を組み合わせたプロジェクタである。
【００５８】
第１２実施形態のプロジェクタ２７０は、第１ブロック体２７８が、第２ブロック体２８０に対して、ブロック体接続部（不図示）により、正面上下方向に接続されている。そして、第１ブロック体２７８は、第２ブロック体２８０に対して、ブロック体接続部を中心に、すなわち、正面上下方向に沿った回転軸回りに回動可能に構成されている。また、第２ブロック体２８０は、本体ブロック体部２８２と、本体接続部（不図示）により接続されている。第２ブロック体２８０と本体ブロック体部２８２とは、第１ブロック体２７８と第２ブロック体２８０との接続方向に対して垂直方向に接続されている。そして、第２ブロック体２８０は、本体接続部を中心として回動可能に構成される。すなわち、第２ブロック体２８０は、本体部２７２に対して正面水平軸方向回りに回動可能に構成されている。第１２実施形態においても、第１ブロック体２７８、及び、第２ブロック体２８０の回転を組み合わせることにより、第３実施形態と同様に、様々な方向にレンズ（投射方向）を向けさせることができる。
【００５９】
＜第１３実施形態＞
図４８は、第１３実施形態のプロジェクタの斜視図であり、図４９はプロジェクタの正面図、図５０はプロジェクタの背面図、図５１はプロジェクタの平面図、図５２はプロジェクタの底面図、図５３はプロジェクタの右側面図、図５４はプロジェクタの左側面図である。
【００６０】
第１３実施形態のプロジェクタ３１０は、本体部３１２の構成が第１実施形態の本体部１２と構成が略同じであり、レンズ部３１４の構成が第１実施形態と異なっている。第１３実施形態のレンズ部３１４は、第１ブロック体３１８は第１実施形態と同様の形状であるが、第２ブロック体３２０の形状が、円柱形状で構成される。
【００６１】
第１ブロック体３１８は、第２ブロック体３２０に対して水平軸方向にブロック体接続部３２４により接続されている。ブロック体接続部３２４は、第１ブロック体３１８と接続する第１ブロック体接続部３２４ａと、第２ブロック体３２０と接続する第２ブロック体接続部３２４ｂとからなり、第１ブロック体接続部３２４ａと第２ブロック体接続部３２４ｂとの間で回動可能に構成されている。これにより、第１ブロック体３１８は、第２ブロック体３２０に対して正面水平軸方向回りに回動可能に構成されている。また、第２ブロック体３２０と本体部３１２とは、本体接続部３２６により接続されている。第２ブロック体３２０と本体部３１２とは、第１ブロック体３１８と第２ブロック体３２０との接続方向に対して、垂直方向に接続されている。そして、第２ブロック体３２０は、本体接続部３２６を中心として回動可能に構成される。すなわち、第２ブロック体３２０は、本体部３１２に対して正面上下方向に沿った回転軸回りに回動可能に構成されている。
【００６２】
第１３実施形態のプロジェクタ３１０においても、第１ブロック体３１８と第２ブロック体３２０を、第１実施形態のプロジェクタと同様に回転させることができる。第１ブロック体３１８及び第２ブロック体３２０の回転を組み合わせることで、レンズ３１６を様々な方向に向けさせることができる。
【００６３】
＜第１４実施形態＞
図５５は第１４実施形態のプロジェクタの斜視図である。第１４実施形態のプロジェクタ３３０は、本体部３３２の形状が異なり、かつ、レンズ部３３４の第１ブロック体３３８と第２ブロック体３４０が正面上下方向に接続している点が第１３実施形態のプロジェクタ３１０と異なっている。第１４実施形態のプロジェクタ３３０は、プロジェクタ３３０全体が矩形状に形成されており、本体部３３２はＬ字状に形成されている。レンズ部３３４は、本体部３３２のＬ字状に切り欠かれた切欠部に、プロジェクタ３３０の短辺に沿って設けられている。第１４実施形態のプロジェクタ３３０は、第１３実施形態のプロジェクタのレンズ部の形状と、第２実施形態のプロジェクタの本体部の形状を組み合わせたプロジェクタである。
【００６４】
第１４実施形態のプロジェクタ３３０のレンズ部３３４は、第１ブロック体３３８と第２ブロック体３４０がブロック体接続部３４４により接続され、第１ブロック体３３８は、第２ブロック体３４０に対して、正面上下方向に接続されている。ブロック体接続部３４４は、第１ブロック体３３８と接続する第１ブロック体接続部３４４ａと、第２ブロック体３４０と接続する第２ブロック体接続部３４４ｂと、からなり、第１ブロック体接続部３４４ａと第２ブロック体接続部３４４ｂとの間で回動可能に構成されている。これにより、第１ブロック体３３８は、第２ブロック体３４０に対して、正面上下方向に沿った回転軸回りに回動可能に構成されている。
【００６５】
また、第２ブロック体３４０は、本体部３３２と、本体接続部（不図示）により接続されている。第２ブロック体３４０と本体部３３２とは、第１ブロック体３３８と第２ブロック体３４０との接続方向に対して垂直方向に接続されている。そして、第２ブロック体３４０は、本体接続部を中心として回動可能に構成される。すなわち、第２ブロック体３４０は、本体部３３２に対して、正面水平軸方向回りに回動可能に構成されている。第１４実施形態においても、第１ブロック体３３８、及び、第２ブロック体３４０の回転を組み合わせることにより、第２実施形態と同様に、様々な方向にレンズ（投射方向）を向けさせることができる。
【００６６】
＜第１５実施形態＞
図５６は第１５実施形態のプロジェクタの斜視図である。第１５実施形態のプロジェクタ３５０は、本体部３５２の形状が異なり、かつ、レンズ部３５４の第１ブロック体３５８と第２ブロック体３６０が正面上下方向に接続している点が第１３実施形態のプロジェクタ３１０と異なっている。第１５実施形態のプロジェクタ３５０は、本体部３５２が矩形形状であり、矩形形状の一辺（図５６においては、本体部３５２の短辺）にレンズ部３５４が設けられている。第１５実施形態のプロジェクタ３５０は、第１３実施形態のプロジェクタのレンズ部の形状と、第３実施形態のプロジェクタの本体部の形状を組み合わせたプロジェクタである。
【００６７】
第１５実施形態のプロジェクタ３５０は、第１ブロック体３５８が、第２ブロック体３６０に対して、ブロック体接続部３６４により、正面上下方向に接続されている。そして、第１ブロック体３５８は、第２ブロック体３６０に対して、ブロック体接続部３６４を中心に、すなわち、正面上下方向に沿った回転軸回りに回動可能に構成されている。また、第２ブロック体３６０は、本体部３５２と、本体接続部（不図示）により接続されている。第２ブロック体３６０と本体部３５２とは、第１ブロック体３５８と第２ブロック体３６０との接続方向に対して垂直方向に接続されている。そして、第２ブロック体３６０は、本体接続部を中心として回動可能に構成される。すなわち、第２ブロック体３６０は、本体部３５２に対して正面水平軸方向回りに回動可能に構成されている。第１５実施形態においても、第１ブロック体３５８、及び、第２ブロック体３６０の回転を組み合わせることにより、第３実施形態と同様に、様々な方向にレンズ（投射方向）を向けさせることができる。
【００６８】
＜第１６実施形態＞
図５７は、第１６実施形態のプロジェクタの斜視図であり、図５８はプロジェクタの正面図、図５９はプロジェクタの背面図、図６０はプロジェクタの平面図、図６１はプロジェクタの底面図、図６２はプロジェクタの右側面図、図６３はプロジェクタの左側面図である。
【００６９】
第１６実施形態のプロジェクタ３７０は、本体部３７２の構成が第１実施形態の本体部１２と構成が略同じであり、レンズ部３７４の構成が第１実施形態と異なっている。第１６実施形態のレンズ部３７４は、第１ブロック体３７８は第１実施形態と同様の形状であるが、第２ブロック体３８０の形状が、Ｌ字状に湾曲させた円柱形状である。
【００７０】
第１ブロック体３７８は、第２ブロック体３８０に対して水平軸方向にブロック体接続部３８４により接続されている。そして、第１ブロック体３７８は、第２ブロック体３８０に対して、ブロック体接続部３８４を中心として回動可能に構成されている。すなわち、第１ブロック体３７８は、正面水平軸方向回りに回動可能に構成されている。第１ブロック体３７８の回動は、第１ブロック体３７８のみでもよく、第１ブロック体３７８とブロック体接続部３８４が一緒に回動してもよい。また、第２ブロック体３８０と本体部３７２とは、本体接続部３８６により接続されている。第２ブロック体３８０と本体部３７２とは、第１ブロック体３７８と第２ブロック体３８０との接続方向に対して、垂直方向に接続されている。そして、第２ブロック体３８０は、本体部３７２に対して正面上下方向に沿った回転軸回りに回動可能に構成されている。
【００７１】
第１６実施形態のプロジェクタ３７０においても、第１ブロック体３７８と第２ブロック体３８０を、第１実施形態のプロジェクタと同様に回転させることができる。第１ブロック体３７８及び第２ブロック体３８０の回転を組み合わせることで、レンズ３７６を様々な方向に向けさせることができる。
【００７２】
＜第１７実施形態＞
図６４は第１７実施形態のプロジェクタの斜視図である。第１７実施形態のプロジェクタ４１０は、本体部４１２の形状が異なり、かつ、レンズ部４１４の第１ブロック体４１８と第２ブロック体４２０が正面上下方向に接続している点が第１６実施形態のプロジェクタ３７０と異なっている。第１７実施形態のプロジェクタ４１０は、プロジェクタ４１０全体が矩形状に形成されており、本体部４１２はＬ字状に形成されている。レンズ部４１４は、本体部４１２のＬ字状に切り欠かれた切欠部に、プロジェクタ４１０の短辺に沿って設けられている。第１７実施形態のプロジェクタ４１０は、第１６実施形態のプロジェクタのレンズ部の形状と、第２実施形態のプロジェクタの本体部の形状を組み合わせたプロジェクタである。
【００７３】
第１７実施形態のプロジェクタ４１０のレンズ部４１４は、第１ブロック体４１８と第２ブロック体４２０がブロック体接続部４２４により接続され、第１ブロック体４１８は、第２ブロック体４２０に対して、正面上下方向に接続されている。そして、第１ブロック体４１８は、第２ブロック体４２０に対して、ブロック体接続部４２４を中心として回動可動に構成されている。したがって、第１ブロック体４１８は、第２ブロック体４２０に対して、正面上下方向に沿った回転軸回りに回動可能に構成されている。
【００７４】
また、第２ブロック体４２０は、本体部４１２と、本体接続部（不図示）により接続されている。第２ブロック体４２０と本体部４１２とは、第１ブロック体４１８と第２ブロック体４２０との接続方向に対して垂直方向に接続されている。そして、第２ブロック体４２０は、本体接続部を中心として回動可能に構成される。すなわち、第２ブロック体４２０は、本体部４１２に対して、正面水平軸方向回りに回動可能に構成されている。第１７実施形態においても、第１ブロック体４１８、及び、第２ブロック体４２０の回転を組み合わせることにより、第２実施形態と同様に、様々な方向にレンズ（投射方向）を向けさせることができる。
【００７５】
＜第１８実施形態＞
図６５は第１８実施形態のプロジェクタの斜視図である。第１８実施形態のプロジェクタ４３０は、本体部４３２の形状が異なり、かつ、レンズ部４３４の第１ブロック体４３８と第２ブロック体４４０が正面上下方向に接続している点が第１６実施形態のプロジェクタ３７０と異なっている。第１８実施形態のプロジェクタ４３０は、本体部４３２が矩形形状であり、矩形形状の一辺（図６５においては、本体部４３２の短辺）にレンズ部４３４が設けられている。第１８実施形態のプロジェクタ４３０は、第１６実施形態のプロジェクタのレンズ部の形状と、第３実施形態のプロジェクタの本体部の形状を組み合わせたプロジェクタである。
【００７６】
第１８実施形態のプロジェクタ４３０は、第１ブロック体４３８が、第２ブロック体４４０に対して、ブロック体接続部４４４により、正面上下方向に接続されている。そして、第１ブロック体４３８は、第２ブロック体４４０に対して、ブロック体接続部４４４を中心に、すなわち、正面上下方向に沿った回転軸回りに回動可能に構成されている。また、第２ブロック体４４０は、本体部４３２と、本体接続部（不図示）により接続されている。第２ブロック体４４０と本体部４３２とは、第１ブロック体４３８と第２ブロック体４４０との接続方向に対して垂直方向に接続されている。そして、第２ブロック体４４０は、本体接続部を中心として回動可能に構成される。すなわち、第２ブロック体４４０は、本体部４３２に対して正面水平軸方向回りに回動可能に構成されている。第１８実施形態においても、第１ブロック体４３８、及び、第２ブロック体４４０の回転を組み合わせることにより、第３実施形態と同様に、様々な方向にレンズ（投射方向）を向けさせることができる。
【００７７】
＜第１９実施形態＞
図６６は、第１９実施形態のプロジェクタの斜視図であり、図６７はプロジェクタの正面図、図６８はプロジェクタの背面図、図６９はプロジェクタの平面図、図７０はプロジェクタの底面図、図７１はプロジェクタの右側面図、図７２はプロジェクタの左側面図である。
【００７８】
第１９実施形態のプロジェクタ４５０は、本体部４５２の構成が第１実施形態の本体部１２と構成が略同じであり、レンズ部４５４の構成が第１実施形態と異なっている。第１９実施形態のレンズ部４５４は、第１ブロック体４５８が、円柱部材の一方側の端部に切欠き部が形成されており、他方側にレンズ４５６が装着されている。また、第２ブロック体４６０は２つの円柱部材４６０ａ、４６０ｂから構成されており、一方の円柱部材４６０ａに他方の円柱部材４６０ｂが垂直に接続することで、第２ブロック体４６０を構成している。
【００７９】
第１ブロック体４５８は、第２ブロック体４６０の一方の円柱部材４６０ａに対して水平軸方向にブロック体接続部４６４により接続されている。そして、第１ブロック体４５８は、第２ブロック体４６０に対して、ブロック体接続部３４６を中心として回動可能に構成されている。すなわち、第１ブロック体４５８は、正面水平軸方向回りに回動可能に構成されている。第１ブロック体１８の回動は、第１ブロック体１８とブロック体接続部２４が一緒に回動する。また、第２ブロック体４６０の他方の円柱部材４６０ｂと本体部４５２とは、本体接続部４６６により接続されている。他方の円柱部材４６０ｂと本体部４５２とは、第１ブロック体４５８と第２ブロック体４６０との接続方向に対して、垂直方向に接続されている。そして、第２ブロック体４６０は、本体部４５２に対して正面上下方向に沿った回転軸回りに回動可能に構成されている。
【００８０】
第４実施形態のプロジェクタ４５０においても、第１ブロック体４５８と第２ブロック体４６０を、第１実施形態のプロジェクタと同様に回転させることができる。第１ブロック体４５８及び第２ブロック体４６０の回転を組み合わせることで、レンズ４５６を様々な方向に向けさせることができる。
【００８１】
＜第２０実施形態＞
図７３は第２０実施形態のプロジェクタの斜視図である。第２０実施形態のプロジェクタ４７０は、本体部４７２の形状が異なり、かつ、レンズ部４７４の第１ブロック体４７８と第２ブロック体４８０が正面上下方向に接続している点が第１９実施形態のプロジェクタ４５０と異なっている。第２０実施形態のプロジェクタ４７０は、プロジェクタ１１０全体が矩形状に形成されており、本体部４７２はＬ字状に形成されている。レンズ部４７４は、本体部４７２のＬ字状に切り欠かれた切欠部に、プロジェクタ４７０の短辺に沿って設けられている。第２０実施形態のプロジェクタ４７０は、第１９実施形態のプロジェクタのレンズ部の形状と、第２実施形態のプロジェクタの本体部の形状を組み合わせたプロジェクタである。
【００８２】
第２０実施形態のプロジェクタ４７０のレンズ部４７４は、第１ブロック体４７８と第２ブロック体４８０がブロック体接続部４８４により接続され、第１ブロック体４７８は、第２ブロック体４８０に対して、正面上下方向に接続されている。そして、第１ブロック体４７８は、第２ブロック体４８０に対して、ブロック体接続部４８４を中心として回動可動に構成されている。したがって、第１ブロック体４７８は、第２ブロック体４８０に対して、正面上下方向に沿った回転軸回りに回動可能に構成されている。
【００８３】
また、第２ブロック体４８０は、本体部４７２と、本体接続部（不図示）により接続されている。第２ブロック体４８０と本体部４７２とは、第１ブロック体４７８と第２ブロック体４８０との接続方向に対して垂直方向に接続されている。そして、第２ブロック体４８０は、本体接続部を中心として回動可能に構成される。すなわち、第２ブロック体４８０は、本体部４７２に対して、正面水平軸方向回りに回動可能に構成されている。第２０実施形態においても、第１ブロック体４７８、及び、第２ブロック体４８０の回転を組み合わせることにより、第２実施形態と同様に、様々な方向にレンズ（投射方向）を向けさせることができる。
【００８４】
＜第２１実施形態＞
図７４は第２１実施形態のプロジェクタの斜視図である。第２１実施形態のプロジェクタ５１０は、本体部５１２の形状が異なり、かつ、レンズ部５１４の第１ブロック体５１８と第２ブロック体５２０が正面上下方向に接続している点が第１９実施形態のプロジェクタ４５０と異なっている。第２１実施形態のプロジェクタ５１０は、本体部５１２が矩形形状であり、矩形形状の一辺（図７４においては、本体部５１２の短辺）にレンズ部５１４が設けられている。第２１実施形態のプロジェクタ５１０は、第１９実施形態のプロジェクタのレンズ部の形状と、第３実施形態のプロジェクタの本体部の形状を組み合わせたプロジェクタである。
【００８５】
第２１実施形態のプロジェクタ５１０は、第１ブロック体５１８が、第２ブロック体５２０に対して、ブロック体接続部５２４により、正面上下方向に接続されている。そして、第１ブロック体５１８は、第２ブロック体５２０に対して、ブロック体接続部５２４を中心に、すなわち、正面上下方向に沿った回転軸回りに回動可能に構成されている。また、第２ブロック体５２０は、本体部５１２と、本体接続部（不図示）により接続されている。第２ブロック体５２０と本体部５１２とは、第１ブロック体５１８と第２ブロック体５２０との接続方向に対して垂直方向に接続されている。そして、第２ブロック体５２０は、本体接続部を中心として回動可能に構成される。すなわち、第２ブロック体５２０は、本体部５１２に対して正面水平軸方向回りに回動可能に構成されている。第２１実施形態においても、第１ブロック体５１８、及び、第２ブロック体５２０の回転を組み合わせることにより、第３実施形態と同様に、様々な方向にレンズ（投射方向）を向けさせることができる。
【００８６】
＜第２２実施形態＞
図７５は、第２２実施形態のプロジェクタの斜視図であり、図７６はプロジェクタの正面図、図７７はプロジェクタの背面図、図７８はプロジェクタの平面図、図７９はプロジェクタの底面図、図８０はプロジェクタの右側面図、図８１はプロジェクタの左側面図である。
【００８７】
第２２実施形態のプロジェクタ５３０は、本体部５３２の構成が第１実施形態の本体部１２と構成が略同じであり、レンズ部５３４の構成が第１実施形態と異なっている。第２２実施形態のレンズ部５３４は、第１ブロック体５１８が、円柱形状の一方側の端部に切り欠き部が形成されており、他方側にレンズ５３６が装着されている。第２ブロック体５４０も円柱形状の一方側の端部に切り欠き部が形成されており、他方側が本体部５３２と接続されている。
【００８８】
第１ブロック体５３８は、第２ブロック体５４０に対して水平軸方向にブロック体接続部５４４により接続されている。ブロック体接続部５４４は、第１ブロック体５３８と接続する第１ブロック体接続部５４４ａと、第２ブロック体５４０と接続する第２ブロック体接続部５４４ｂとからなり、第１ブロック体接続部５４４ａと第２ブロック体接続部５４４ｂとの間で回動可能に構成されている。これにより、第１ブロック体５３８は、第２ブロック体５４０に対して正面水平軸方向回りに回動可能に構成されている。また、第２ブロック体５４０と本体部５３２とは、本体接続部５４６により接続されている。第２ブロック体５４０と本体部５３２とは、第１ブロック体５３８と第２ブロック体５４０との接続方向に対して、垂直方向に接続されている。そして、第２ブロック体５４０は、本体接続部５４６を中心として回動可能に構成される。すなわち、第２ブロック体５４０は、本体部５３２に対して正面上下方向に沿った回転軸回りに回動可能に構成されている。
【００８９】
第２２実施形態のプロジェクタ５３０においても、第１ブロック体５３８と第２ブロック体５４０を、第１実施形態のプロジェクタと同様に回転させることができる。第１ブロック体５３８及び第２ブロック体５４０の回転を組み合わせることで、レンズ５３６を様々な方向に向けさせることができる。
【００９０】
＜第２３実施形態＞
図８２は第２３実施形態のプロジェクタの斜視図である。第２３実施形態のプロジェクタ５５０は、本体部５５２の形状が異なり、かつ、レンズ部５５４の第１ブロック体５５８と第２ブロック体５６０が正面上下方向に接続している点が第２２実施形態のプロジェクタ５３０と異なっている。第２３実施形態のプロジェクタ５５０は、プロジェクタ５５０全体が矩形状に形成されており、本体部５５２はＬ字状に形成されている。レンズ部５５４は、本体部５５２のＬ字状に切り欠かれた切欠部に、プロジェクタ５５０の短辺に沿って設けられている。第２３実施形態のプロジェクタ５５０は、第２２実施形態のプロジェクタのレンズ部の形状と、第２実施形態のプロジェクタの本体部の形状を組み合わせたプロジェクタである。
【００９１】
第２３実施形態のプロジェクタ５５０のレンズ部５５４は、第１ブロック体５５８と第２ブロック体５６０がブロック体接続部５６４により接続され、第１ブロック体５５８は、第２ブロック体５６０に対して、正面上下方向に接続されている。ブロック体接続部５６４は、第１ブロック体５５８と接続する第１ブロック体接続部５６４ａと、第２ブロック体５６０と接続する第２ブロック体接続部５６４ｂと、からなり、第１ブロック体接続部５６４ａと第２ブロック体接続部５６４ｂとの間で回動可能に構成されている。これにより、第１ブロック体５５８は、第２ブロック体５６０に対して、正面上下方向に沿った回転軸回りに回動可能に構成されている。
【００９２】
また、第２ブロック体５６０は、本体部５５２と、本体接続部（不図示）により接続されている。第２ブロック体５６０と本体部５５２とは、第１ブロック体５５８と第２ブロック体５６０との接続方向に対して垂直方向に接続されている。そして、第２ブロック体５６０は、本体接続部を中心として回動可能に構成される。すなわち、第２ブロック体５６０は、本体部５５２に対して、正面水平軸方向回りに回動可能に構成されている。第２３実施形態においても、第１ブロック体５５８、及び、第２ブロック体５６０の回転を組み合わせることにより、第２実施形態と同様に、様々な方向にレンズ（投射方向）を向けさせることができる。
【００９３】
＜第２４実施形態＞
図８３は第２４実施形態のプロジェクタの斜視図である。第２４実施形態のプロジェクタ５７０は、本体部５７２の形状が異なり、かつ、レンズ部５７４の第１ブロック体５７８と第２ブロック体５８０が正面上下方向に接続している点が第２２実施形態のプロジェクタ５３０と異なっている。第２４実施形態のプロジェクタ５７０は、本体部５７２が矩形形状であり、矩形形状の一辺（図８３においては、本体部５７２の短辺）にレンズ部５７４が設けられている。第２４実施形態のプロジェクタ５７０は、第２２実施形態のプロジェクタのレンズ部の形状と、第３実施形態のプロジェクタの本体部の形状を組み合わせたプロジェクタである。
【００９４】
第２４実施形態のプロジェクタ５７０は、第１ブロック体５７８が、第２ブロック体５８０に対して、ブロック体接続部５８４により、正面上下方向に接続されている。ブロック体接続部５８４は、第１ブロック体５７８と接続する第１ブロック体接続部５８４ａと、第２ブロック体５８０と接続する第２ブロック体接続部５８４ｂと、からなり、第１ブロック体接続部５８４ａと第２ブロック体接続部５８４ｂとの間で回動可能に構成されている。これにより、第１ブロック体５７８は、第２ブロック体５８０に対して、正面上下方向に沿った回転軸回りに回動可能に構成されている。また、第２ブロック体５８０は、本体部５７２と、本体接続部（不図示）により接続されている。第２ブロック体５８０と本体部５７２とは、第１ブロック体５７８と第２ブロック体５８０との接続方向に対して垂直方向に接続されている。そして、第２ブロック体５８０は、本体接続部を中心として回動可能に構成される。すなわち、第２ブロック体５８０は、本体部５７２に対して正面水平軸方向回りに回動可能に構成されている。第２４実施形態においても、第１ブロック体５７８、及び、第２ブロック体５８０の回転を組み合わせることにより、第３実施形態と同様に、様々な方向にレンズ（投射方向）を向けさせることができる。
【００９５】
＜第２５実施形態＞
図８４は、第２５実施形態のプロジェクタの斜視図であり、図８５はプロジェクタの正面図、図８６はプロジェクタの背面図、図８７はプロジェクタの平面図、図８８はプロジェクタの底面図、図８９はプロジェクタの右側面図、図９０はプロジェクタの左側面図である。
【００９６】
第２５実施形態のプロジェクタ６１０は、本体部６１２の構成が第１実施形態の本体部１２と構成が略同じであり、レンズ部６１４の構成が第１実施形態と異なっている。第２５実施形態のレンズ部６１４は、第１ブロック体６１８と第２ブロック体６２０から構成される。第１ブロック体６１８は、第１の円柱部材６１８ａと第２の円柱部材６１８ｂとから構成されており、第１の円柱部材６１８ａに第２の円柱部材６１８ｂが、第１の円柱部材６１８ａの側部に垂直に接続することで、第１ブロック体６１８が構成される。また、第２ブロック体６２０は、第３の円柱部材６２０ａと第４の円柱部材６２０ｂとから構成されており、第３の円柱部材６２０ａに第４の円柱部材６２０ｂが、第３の円柱部材６２０ａの側部に垂直に接続することで、第２ブロック体６２０が構成される。
【００９７】
第１ブロック体６１８と第２ブロック体６２０は、第１ブロック体６１８の第１の円柱部材６１８ａと、第２ブロック体６２０の第３の円柱部材６２０ａが直列に接続され、第１ブロック体６１８と第２ブロック体６２０は水平軸方向に接続される。そして、第１ブロック体６１８は、第２ブロック体６２０に対して正面水平軸方向回りに回動可能に構成されている。第１の円柱部材６１８ａの第２ブロック体６２０との接続側と反対側の端部は切り欠き部が形成されている。また、第２の円柱部材６１８ｂの第１の円柱部材６１８ａとの接続側と反対側の端部には、レンズ６１６が装着されている。
【００９８】
第２ブロック体６２０は、第２ブロック体６２０の第４の円柱部材６２０ｂの第３の円柱部材６２０ａとの接続側と反対側の端部と、本体部６１２と、が本体接続部６２６により接続される。第２ブロック体６２０は、本体接続部６２６を中心として回動可能に構成される。すなわち、第２ブロック体６２０は、本体部６１２に対して正面上下方向に沿った回転軸回りに回動可能に構成されている。
【００９９】
第２５実施形態のプロジェクタ６１０においても、第１ブロック体６１８と第２ブロック体６２０を、第１実施形態のプロジェクタと同様に回転させることができる。第１ブロック体６１８及び第２ブロック体６２０の回転を組み合わせることで、レンズ６１６を様々な方向に向けさせることができる。
【０１００】
＜第２６実施形態＞
図９１は第２６実施形態のプロジェクタの斜視図である。第２６実施形態のプロジェクタ６３０は、本体部６３２の形状が異なり、かつ、レンズ部６３４の第１ブロック体６３８と第２ブロック体６４０が正面上下方向に接続している点が第２５実施形態のプロジェクタ６１０と異なっている。第２６実施形態のプロジェクタ６３０は、プロジェクタ６３０全体が矩形状に形成されており、本体部６３２はＬ字状に形成されている。レンズ部６３４は、本体部６３２のＬ字状に切り欠かれた切欠部に、プロジェクタ６３０の短辺に沿って設けられている。第２６実施形態のプロジェクタ６３０は、第２５実施形態のプロジェクタのレンズ部の形状と、第２実施形態のプロジェクタの本体部の形状を組み合わせたプロジェクタである。
【０１０１】
第２６実施形態のプロジェクタ６３０についても、レンズ部６３４は、第１ブロック体６３８と第２ブロック体６４０から構成される。第１ブロック体６３８は、第１の円柱部材６３８ａと第２の円柱部材６３８ｂとから構成されており、第１の円柱部材６３８ａに第２の円柱部材６３８ｂが、第１の円柱部材６３８ａの側部に垂直に接続することで、第１ブロック体６３８が構成される。また、第２ブロック体６４０は、第３の円柱部材６４０ａと第４の円柱部材６４０ｂとから構成されており、第３の円柱部材６４０ａに第４の円柱部材６４０ｂが、第３の円柱部材６４０ａの側部に垂直に接続することで、第２ブロック体６４０が構成される。
【０１０２】
第１ブロック体６３８と第２ブロック体６４０は、第１ブロック体６３８の第１の円柱部材６３８ａと、第２ブロック体６４０の第３の円柱部材６４０ａが直列に接続され、第１ブロック体６３８と第２ブロック体６４０は正面上下方向に接続される。そして、第１ブロック体６３８は、第２ブロック体６４０に対して正面上下方向に沿った回転軸回りに回動可能に構成されている。第１の円柱部材６３８ａの第２ブロック体６４０との接続側と反対側の端部は切り欠き部が形成されている。また、第２の円柱部材６３８ｂの第１の円柱部材６３８ａとの接続側と反対側の端部はレンズ（不図示）が装着されている。
【０１０３】
第２ブロック体６４０は、第２ブロック体６４０の第４の円柱部材６４０ｂの第３の円柱部材６４０ａとの接続側と反対側の端部と、本体部６３２と、が本体接続部（不図示）により接続される。第２ブロック体６４０は、本体接続部を中心として回動可能に構成される。すなわち、第２ブロック体６４０は、本体部６３２に対して、正面水平軸方向回りに回動可能に構成されている。第２６実施形態においても、第１ブロック体６３８、及び、第２ブロック体６４０の回転を組み合わせることにより、第２実施形態と同様に、様々な方向にレンズ（投射方向）を向けさせることができる。
【０１０４】
＜第２７実施形態＞
図９２は第２７実施形態のプロジェクタの斜視図である。第２７実施形態のプロジェクタ６５０は、本体部６５２の形状が異なり、かつ、レンズ部６５４の第１ブロック体６５８と第２ブロック体６６０が正面上下方向に接続している点が第２５実施形態のプロジェクタ６１０と異なっている。第２７実施形態のプロジェクタ６５０は、本体部６５２が矩形形状であり、矩形形状の一辺（図９２においては、本体部６５２の短辺）にレンズ部６５４が設けられている。第２７実施形態のプロジェクタ６５０は、第２５実施形態のプロジェクタのレンズ部の形状と、第３実施形態のプロジェクタの本体部の形状を組み合わせたプロジェクタである。
【０１０５】
第２７実施形態のプロジェクタ６５０についても、レンズ部６５４は、第１ブロック体６５８と第２ブロック体６６０から構成される。第１ブロック体６５８は、第１の円柱部材６５８ａと第２の円柱部材６５８ｂとから構成されており、第１の円柱部材６５８ａに第２の円柱部材６５８ｂが、第１の円柱部材６５８ａの側部に垂直に接続することで、第１ブロック体６５８が構成される。また、第２ブロック体６６０は、第３の円柱部材６６０ａと第４の円柱部材６６０ｂとから構成されており、第３の円柱部材６６０ａに第４の円柱部材６６０ｂが、第３の円柱部材６６０ａの側部に垂直に接続することで、第２ブロック体６６０が構成される。
【０１０６】
第１ブロック体６５８と第２ブロック体６６０は、第１ブロック体６５８の第１の円柱部材６５８ａと、第２ブロック体６６０の第３の円柱部材６６０ａが直列に接続され、第１ブロック体６５８と第２ブロック体６６０は正面上下方向に接続される。そして、第１ブロック体６５８は、第２ブロック体６６０に対して正面上下方向に沿った回転軸回りに回動可能に構成されている。第１の円柱部材６５８ａの第２ブロック体６６０との接続側と反対側の端部は切り欠き部が形成されている。また、第２の円柱部材６５８ｂの第１の円柱部材６５８ａとの接続側と反対側の端部はレンズ（不図示）が装着されている。
【０１０７】
第２ブロック体６６０は、第２ブロック体６６０の第４の円柱部材６６０ｂの第３の円柱部材６６０ａとの接続側と反対側の端部と、本体部６５２と、が本体接続部（不図示）により接続される。第２ブロック体６６０は、本体接続部を中心として回動可能に構成される。すなわち、第２ブロック体６６０は、本体部６５２に対して、正面水平軸方向回りに回動可能に構成されている。第２７実施形態においても、第１ブロック体６５８、及び、第２ブロック体６６０の回転を組み合わせることにより、第３実施形態と同様に、様々な方向にレンズ（投射方向）を向けさせることができる。
【符号の説明】
【０１０８】
１０、３０、５０、７０、１１０、１３０、１５０、１７０、２１０、２３０、２５０、２７０、３１０、３３０、３５０、３７０、４１０、４３０、４５０、４７０、５１０、５３０、５５０、５７０、６１０、６３０、６５０  プロジェクタ
１２、３２、５２、７２、１１２、１３２、１５２、１７２、２１２、２３２、２５２、２７２、３１２、３３２、３５２、３７２、４１２、４３２、４５２、４７２、５１２、５３２、５５２、５７２、６１２、６３２、６５２  本体部
１４、３４、５４、７４、１１４、１３４、１５４、１７４、２１４、２３４、２５４、２７４、３１４、３３４、３５４、３７４、４１４、４３４、４５４、４７４、５１４。５３４、５５４、５７４、６１４、６３４、６５４  レンズ部
１６、７６、２３６、３１６、３７６、４５６、５３６、６１６  レンズ
１８、３８、５８、７８、１１８、１３８、１５８、１７８、２１８、２３８、２５８、２７８、３１８、３３８、３５８、３７８、４１８、４３８、４５８、４７８、５１８、５３８、５５８、５７８、６１８、６３８、６５８  第１ブロック体
２０、４０、６０、８０、１２０、１４０、１６０、１８０、２２０、２４０、２６０、２８０、３２０、３４０、３６０、３８０、４２０、４４０、４６０、４８０、５２０、５４０、５６０、５８０、６２０、６４０、６６０  第２ブロック体
２２、４２、６２、８２、１２２、１４２、２４２、２６２、２８２  本体ブロック体部
２４、８４、１６４、２４４、３２４、３４４、３６４、３８４、４２４、４４４、４６４、４８４、５２４、５４４、５６４、５８４  ブロック体接続部
２６、８６、２４６、３２６、３８６、４６６、５４６、６２６  本体接続部
３２４ａ、３４４ａ、３６４ａ、５４４ａ、５６４ａ、５８４ａ  第１ブロック体接続部
３２４ｂ、３４４ｂ、３６４ｂ、５４４ｂ、５６４ｂ、５８４ｂ  第２ブロック体接続部
４６０ａ  一方の円柱部材
４６０ｂ  他方の円柱部材
６１８ａ、６３８ａ、６５８ａ  第１の円柱部材
６１８ｂ、６３８ｂ、６５８ｂ  第２の円柱部材
６２０ａ、６４０ａ、６６０ａ  第３の円柱部材
６２０ｂ、６４０ｂ、６６０ｂ  第４の円柱部材
【図１】
2020034652.tif 000003
【図２】
2020034652.tif 000004
【図３】
2020034652.tif 000005
【図４】
2020034652.tif 000006
【図５】
2020034652.tif 000007
【図６】
2020034652.tif 000008
【図７】
2020034652.tif 000009
【図８】
2020034652.tif 000010
【図９】
2020034652.tif 000011
【図１０】
2020034652.tif 000012
【図１１】
2020034652.tif 000013
【図１２】
2020034652.tif 000014
【図１３】
2020034652.tif 000015
【図１４】
2020034652.tif 000016
【図１５】
2020034652.tif 000017
【図１６】
2020034652.tif 000018
【図１７】
2020034652.tif 000019
【図１８】
2020034652.tif 000020
【図１９】
2020034652.tif 000021
【図２０】
2020034652.tif 000022
【図２１】
2020034652.tif 000023
【図２２】
2020034652.tif 000024
【図２３】
2020034652.tif 000025
【図２４】
2020034652.tif 000026
【図２５】
2020034652.tif 000027
【図２６】
2020034652.tif 000028
【図２７】
2020034652.tif 000029
【図２８】
2020034652.tif 000030
【図２９】
2020034652.tif 000031
【図３０】
2020034652.tif 000032
【図３１】
2020034652.tif 000033
【図３２】
2020034652.tif 000034
【図３３】
2020034652.tif 000035
【図３４】
2020034652.tif 000036
【図３５】
2020034652.tif 000037
【図３６】
2020034652.tif 000038
【図３７】
2020034652.tif 000039
【図３８】
2020034652.tif 000040
【図３９】
2020034652.tif 000041
【図４０】
2020034652.tif 000042
【図４１】
2020034652.tif 000043
【図４２】
2020034652.tif 000044
【図４３】
2020034652.tif 000045
【図４４】
2020034652.tif 000046
【図４５】
2020034652.tif 000047
【図４６】
2020034652.tif 000048
【図４７】
2020034652.tif 000049
【図４８】
2020034652.tif 000050
【図４９】
2020034652.tif 000051
【図５０】
2020034652.tif 000052
【図５１】
2020034652.tif 000053
【図５２】
2020034652.tif 000054
【図５３】
2020034652.tif 000055
【図５４】
2020034652.tif 000056
【図５５】
2020034652.tif 000057
【図５６】
2020034652.tif 000058
【図５７】
2020034652.tif 000059
【図５８】
2020034652.tif 000060
【図５９】
2020034652.tif 000061
【図６０】
2020034652.tif 000062
【図６１】
2020034652.tif 000063
【図６２】
2020034652.tif 000064
【図６３】
2020034652.tif 000065
【図６４】
2020034652.tif 000066
【図６５】
2020034652.tif 000067
【図６６】
2020034652.tif 000068
【図６７】
2020034652.tif 000069
【図６８】
2020034652.tif 000070
【図６９】
2020034652.tif 000071
【図７０】
2020034652.tif 000072
【図７１】
2020034652.tif 000073
【図７２】
2020034652.tif 000074
【図７３】
2020034652.tif 000075
【図７４】
2020034652.tif 000076
【図７５】
2020034652.tif 000077
【図７６】
2020034652.tif 000078
【図７７】
2020034652.tif 000079
【図７８】
2020034652.tif 000080
【図７９】
2020034652.tif 000081
【図８０】
2020034652.tif 000082
【図８１】
2020034652.tif 000083
【図８２】
2020034652.tif 000084
【図８３】
2020034652.tif 000085
【図８４】
2020034652.tif 000086
【図８５】
2020034652.tif 000087
【図８６】
2020034652.tif 000088
【図８７】
2020034652.tif 000089
【図８８】
2020034652.tif 000090
【図８９】
2020034652.tif 000091
【図９０】
2020034652.tif 000092
【図９１】
2020034652.tif 000093
【図９２】
2020034652.tif 000094